(57)【要約】      （修正有）【課題】使用者の各種座り姿勢に適応することができる可動背もたれ構造を提供する。【解決手段】可動背もたれ構造は、上背板１１が、背もたれフレーム２前方に枢設され、上背板１１下端が、弾性片１３により下背板１２を連結し、下背板１２と背もたれフレーム２間は、弾力板３を利用して連結してなり、下背板１２は、上背板１１に相対し、前後左右に揺動する。【選択図】図１
0003161820.tif 000002
【実用新案登録請求の範囲】
【請求項１】
可動背もたれ構造であって、前記背もたれは、上背板と下背板を連結してなり、前記上背板の上端は、背もたれフレームを枢接して、前記背もたれフレーム前方に位置し、且つ、前記下背板底端は、弾力板により、前記背もたれフレームを結合し、
前記背もたれは、前記上背板底端と前記下背板頂端の間が、弾性片により固定され、前記下背板が、前記弾力板の支承により、前向けに曲がり、前記背もたれと前記背もたれフレーム間に緩衝距離を有することを特徴とする可動背もたれ構造。
【請求項２】
前記弾性片は、複数の突起を有して、前記上下背板の嵌槽に嵌入し、固定することを特徴とする請求項１に記載の可動背もたれ構造。  
【請求項３】
前記背もたれフレームはY型フレームで、底端は、椅子部分に結合して、支承フレームになり、前記上背板底縁に対応して、緩衝ブロックを設置することを特徴とする請求項１に記載の可動背もたれ構造。
【請求項４】
前記背もたれフレーム上方は、頭部マットの支承棒を結合固定することを特徴とする請求項１に記載の可動背もたれ構造。
【考案の詳細な説明】
【技術分野】
【０００１】
本考案は、可動背もたれ構造に関するものであって、特に、背もたれは、弾性片により連結された上下背板板構造からなり、上背板が背もたれフレームの前方に枢設され、下背板と背もたれフレーム間は、弾力板により連結されて、背もたれが、使用者の背部曲線に沿って変化し、緩衝作用を生じる可動背もたれ構造に関するものである。
【背景技術】
【０００２】
座椅子の構造中、背もたれは人体の背部を支える重要な設計であり、各使用者の体型は異なるので、快適性を向上させるため、人体工学設計が要求される。
公知技術において、主に、調整器と背もたれ内に装着された構造により調整を行っている。調整により、異なる体型の使用者の背部にフィットすることができるが、使用者が同じ姿勢で座らないと、最適な人体工学結果が得られない。つまり、調整後の背もたれ状態は、使用者の座り方の変化に対応して、快適な効果を生成することができない。よって、使用者は調整器に依存し、背もたれを常に調整しないと、座椅子の快適性が維持されず、操作が面倒で、故障率も高く、長時間座ると、疲労感を感じる。
【考案の概要】
【考案が解決しようとする課題】
【０００３】
本考案は、可動背もたれ構造を提供し、公知の背もたれの設計は、度重なる調整が必要であるという欠点を改善することを目的とする。
【課題を解決するための手段】
【０００４】
本考案の可動背もたれ構造において、上背板が背もたれフレーム前方に枢設され、上背板下端が、弾性片により下背板を連結し、下背板と背もたれフレーム間は、弾力板を利用して連結してなり、これにより、下背板は、上背板に相対して、前後左右に揺動し、使用者の各種座り姿勢に適応することができる。
【考案の効果】
【０００５】
本考案の上下背板間は、それぞれ、弾性片の一端により固定結合し、上下背板間は、弾性片の弾力、及び、靭性により、湾曲、揺動の特性を有するので、使用者が靠れると、上背板が背部を支承し、下背板により腰部を緩衝し、且つ、使用者の腰部の圧力に伴って、弾力板の変形を圧制し、下背板は、使用者の腰部位置に従って、前後に揺動し（異なる使用者の背部曲線に適応する支承作用を自動的に形成する）、且つ、使用者が座り姿勢を変えて、片側の腰部だけが背もたれに靠れても、下背板も腰部の回転に伴って、左右に揺動する（一定の角度範囲内）ので、使用者の背部は随時、最適な人体工学支承作用を維持し、快適性を得ることができる。
【図面の簡単な説明】
【０００６】
【図１】本考案の構造図である。
【図２】本考案の構造組成図である。
【図３】本考案の組成状態図である。
【図４】本考案の実施参考図である。
【図５】本考案の下背板の可動状態図である。
【図６】本考案のもう一つの構造状態図である。
【考案を実施するための形態】
【０００７】
本考案は、可動背もたれ構造を提供し、主に、背もたれ１は、上背板１１と下背板１２を連結してなる（図１で示される）。上背板１１の上端は、背もたれフレーム２を枢接して、背もたれフレーム２前方に位置し、且つ、下背板１２底端は、弾力板３により、背もたれフレーム２を結合する（図２で示される）。
背もたれ１は、上背板１１と下背板１２に分けられ、且つ、上背板１１底端と下背板１２頂端の間は、弾性片１３により固定されて連結する（弾性片１３は弾力と靭性がある材料、例えば、ゴムで形成される）。
背もたれフレーム２は、Y型フレーム体で、底端は、椅子部分に結合して、支承フレーム（図３で示される）になり、上背板１１底縁に対応して、緩衝ブロック２１を設置している。
上述の素子により、上背板１１上端は、後方に、凸耳１１１を延設し、背もたれフレーム２の対応する枢孔２２と枢接する。また、下背板１２底端と背もたれフレーム２の間は、それぞれ、弾力板３の一端を固定し、下背板１２が、弾力板３の支承により、前向けに曲がり、背もたれ１が、背もたれフレーム２に相対し突起する趨勢を有し（上背板１１の底端が、下背板１２の前方向の湾曲により曲がり、背もたれフレーム２との間に距離を有する）、本考案の組立が完成する。
よって、使用者が着席し、背中が本考案の背もたれ１にもたれかかる時、上背板１１は、使用者の背部を支承し（上背板１１は、下背板１２の弾力板３により、前後揺動の緩衝を生成し、且つ、よりかかる力が過大である時、背もたれフレーム２の緩衝ブロック２１は、直接、力を受けて変形し、上背板１１の圧力を緩衝する）、使用者の腰部は、下背板１２位置にあり、下背板１２は、使用者の腰部曲線、圧力に直接対応し、前後揺動が弾力板３を圧制して、変形する（図４で示される）ので、背もたれ１全体は、使用者の背部曲線に自動的に対応して、調整作用を生成し、よって、使用者は、人体工学の快適性を感じ取ることができる。また、使用者の着席方式が、横向けに回転するように背もたれ１に靠れる時、下背板１２も、使用者の腰部の回転に伴って、左右に揺動し（図５で示されるように、一定の角度範囲内で、下背板１２は、弾性片１３により、上背板１１に相対して左右に撓み、弾力板３も、下背板の回転に伴って、弾性的に湾曲する）、下背板１２が使用者の腰部を包み込み、サポート効果を達成するので、長時間座っても、疲労感を感じにくく、背もたれ１は、サポート効果を十分に発揮し、使用者の脊椎の健康と快適性を維持することができる。
また、弾性片１３と上下背板１１、１２間の結合力を更によくするため、弾性片１３は、複数の突起１３１を有して、上下背板１１、１２の嵌槽１０１中に嵌入し、固定する。
また、本考案の背もたれフレーム２上方は、頭部マット４の支承棒４１を結合固定し（図６）、座椅子は、頭部と背部をサポートすることができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１  背もたれ
１１  上背板
１１１  凸耳
１２  下背板
１３  弾性片
１３１  突起
１０１  嵌槽
２  背もたれフレーム
２１  緩衝ブロック
２２  枢孔
３  弾力板
４  頭部パッド
４１  支承棒
【図１】
0003161820.tif 000003
【図２】
0003161820.tif 000004
【図３】
0003161820.tif 000005
【図４】
0003161820.tif 000006
【図５】
0003161820.tif 000007
【図６】
0003161820.tif 000008